(57)【要約】【課題】      マグネット用具等に用いるのに最適な、用具に使用するマグネット材料で、学習する人や趣味に持つ人達に、安価な素材を提供するマグネットにおいて強吸着性、使いやすい大型マグネット用具を提供する。【解決手段】マグネット吸着化粧板に付着するマグネット体は、磁石としてはフェライト系、アルニコ系、希土類系の単体、或いは前記磁石の粉末を樹脂、又はゴムとの混合したシート体にしたものであり、前記化粧板に付着される家具或いは用具として、ハンガー掛け、物置棚、本棚、フック類、布類掛けバー、額縁掛け棚、及び単色シート、メモ書きシートのマグネットシートの裏面に、残留磁束密度（Ｂｒ）＝１〜１３ｋＧ，  保磁力（Ｈｃ）＝１〜１５ｋＯｅ、最大エネルギ積（ＢＨｍａｘ）＝１〜５０ＭＧＯｅをもっているフェライト系、アルニコ系、希土類系を使用している。【選択図】図１
0003207754.tif 000002
【実用新案登録請求の範囲】
【請求項１】
マグネット吸着化粧壁板に付着するマグネット体は、磁石体としてはフェライト系、アル
ニコ系、希土類系の単体、或いは前記磁石の粉末を樹脂、又はゴムとの混合したシート体
にしたものであり、前記化粧板に付着される用具として、鏡、ハンガー掛け、物置棚、本
棚、物置箱、フック類、布類掛けバー、額縁或いは掛け棚及び単色シート、メモ書きシー
ト、柄の入った装飾シート或いは木目調のシートで選ばれたものの裏面に、残留磁束密度
（Ｂｒ）＝１〜１３ｋＧ，  保磁力（Ｈｃ）＝１〜１５ｋＯｅ、最大エネルギ積（ＢＨｍ
ａｘ）＝１〜５０ＭＧＯｅをもっているフェライト系、アルニコ系、希土類系の磁石体を
使用していることを特徴とするマグネット吸着化粧壁板に付着するマグネット用具。
【請求項２】
前記化粧板に付着される用具は、鏡、ハンガー掛け、物置棚、本棚、物置箱、フック類、
布類掛けバー、額縁或いは掛け棚であって、円筒状、角状の厚さ２〜１０ｍｍの磁石単体
を１〜１００個を埋め込んだ磁力層、またはフェライト系、アルニコ系、希土類系の粉末
体の３つの群から選ばれた単独又は混合物が乾燥後の体積で３０〜８０％含まれる磁性と
樹脂とゴムの塗料からなり、厚さ０．０５〜３．０ｍｍの磁性粉との混合のマグネット層
が設けられて構成された磁力層、をもっていることを特徴とする請求項１に記載のマグネ
ット吸着化粧壁板に付着するマグネット用具。
【請求項３】
前記化粧板に付着される用具として、重量物を積載させるハンガー掛け、物置棚、本棚、
物置箱、額縁或いは掛け棚は、Ｌ字板型、又はコ字板型、又は平板型で重量として１〜５
０ｋｇに対応できる前記磁力層をもっていることを特徴とする請求項１、又は請求項２に
記載のマグネット吸着化粧壁板に付着するマグネット用具。
【請求項４】
前記化粧板に付着される用具の裏面に接着させるマグネットシートは、磁性粉を含有す
る合成樹脂、又は合成ゴムからなる磁石層の片面に、合成樹脂、ゴム製のマグネット層を
持つ等方性或いは異方性マグネットラバーであって、上記磁石層の厚さが０．４〜４．５
ｍｍであるとともにシート状になっていることを特徴とする請求項１〜請求項３のいずれ
かに記載のマグネット吸着化粧壁板に付着するマグネット用具。
【請求項５】
マグネットシートは、合成樹脂製、又は合成ゴム製のマグネットシートであって、その平
面シート形状が、基本的に長方形で、又は略矩形、略三角形、円形、又は四角形以上の略
多角形のうちの少なくとも何れか一つでも可能であって、マグネット層を持つことを特徴
とする請求項１〜請求項４のいずれかに記載のマグネット吸着化粧壁板に付着するマグネ
ット用具。
【考案の詳細な説明】
【技術分野】
【０００１】
この考案は、磁石の単体、或いは前記磁石の粉末を樹脂、又はゴムとの混合したシート
体にしたものであり、化粧板に付着される用具として、鏡、ハンガー掛け、物置棚、物置
箱、フック類、布類掛けバー、額縁或いは掛け棚、及び写真や単色シート、メモ書きシー
ト、計画書シートに使用するマグネット吸着化粧壁板に付着するマグネット用具に関する
。
【背景技術】
【０００２】
マグネットシートは、スチール面に直接固定できるので便利であり、高い需要がある。
スチール板を使用している電気器具については、用途として広く使用されている。また家
具にマグネットシートが付着できるものも期待されている。
【０００３】
本を見ながら両手を使って作業をする際の、本の見やすさ、安定性、汚れ防止を追及した
マグネットホルダーを提供するために、細長い角棒の表面には両端に平織ゴムなどを折り
曲げて取り付け、その間に細丸ゴムを通して輪にして留め中心部約１／３を一本にまとめ
る、裏面には磁石を入れる枠を立設し、磁石保持空間２を形成する、そこに磁気吸着が強
くかつ取り外しが容易な磁石を接着剤もしくは粘着テープで固定する。これを２本使用し
開いた状態の本のページをはさみ、冷蔵庫やスチール棚に着けることものが提案されてい
る（特許文献１参照）。
【０００４】
あらゆる取付け面に確実に取り付けることができ、一時的な取外しを行いやすくしたカレ
ンダーを提供するために、止着手段を主板の前面に備え、壁面あるいは冷蔵庫や本棚等の
取付け面に対して、取付け手段によって直接取り付けられる台座と、カレンダーを印刷し
た複数の紙葉の上縁を綴じるとともに、その上縁の背面に上記台座の止着手段に吸着可能
な止着手段を有するカレンダーが提案されている（特許文献２参照）。
【０００５】
合成樹脂製基板の表面に、筆記面若しくは画紙等を保持する保持面を構成し、該基板の表
側の適宜箇所に装着穴を凹設し、該装着穴に磁石を嵌装し、該磁石と基板の裏面との間の
肉厚を薄肉状として成り、上記磁石の磁力（吸着力）により基板をスチール製の装着面に
密着させた状態にて着脱可能に装着し得るようにした基板を提案されている（特許文献３
参照）。
【０００６】
扉面に当接配置される利用面板と、扉の上縁面部と壁面開口部の下縁面部との隙間に貫
挿配置され、かつ当該扉の上縁面部に貼着保持されるよう利用面板の上端側に設けた磁石
を使用した扉用掛着部とを有する開閉扉面利用板が提案されている（特許文献４参照）。
【０００７】
このようなマグネットシートとしては、表示用マグネットシートが提案されている（特
許文献５参照）。この表示用マグネットシートは、厚さ０．０５〜０．１５mmの磁石シー
トの他方面に、厚さ０．０５〜０．１５mmの印刷シートを貼着して０．１〜０．３mmの厚
さに形成したものである。また、大型の表示用マグネットシートとしては、表示用マグネ
ットシートがある。この表示用マグネットシートは、厚さ０．１〜０．２mmの磁石シート
の一面若しくは両面に、厚さ０．１〜０．２mmの印刷シートをラミネートしたものも提案
されている（特許文献６参照）。
【０００８】
【特許文献１】特開２００５−２８８６０号公報
【特許文献２】実用新案登録第３１４２０６９号公報
【特許文献３】実用新案登録第３０９２６２９号公報
【特許文献４】実用新案登録第３０８４４６２号公報
【特許文献５】特許第２８１９０１７号公報
【特許文献６】特開２００４−２９０９５号公報
【考案の概要】
【考案が解決しようとする課題】
【０００９】
通常の建材である壁面にカレンダー、スケジュール等を記入して使用することが便利であ
るが、取付け面に掛けたままの状態での書き込みは行いづらいので、書き込みを行う際に
一時的に取り外すことができると便利である。この点、ゴム磁石部材で金属製の取付け面
に取り付けられているものは、スケジュール等の記入に際しては取付け面から容易に取り
外し、記入ののち再度取り付けることができる。
【００１０】
マグネットシートでスチール製品等に取り付ける場合には、容易に取外しおよび取付けが
できる。しかしながら、このようなマグネットシートによる取付けは鉄面に対してしか行
えない。部屋内の装飾壁面には困難をきたしていた。鉄面以外への取付けは、接着及び剥
離が自在な両面テープや粘着シートによれば行うことができるが、凹凸のある壁紙など平
滑でない取付け面に対して取り付ける必要がある場合、取付けを確実にするため粘着力の
高い粘着シート等を使用する必要があるので、取外し易さが損なわれてしまう。
【００１１】
逆に、取外しやすいように粘着力を低くした粘着シート等を使用すると、取り付け状態が
不安定で落下し易くなってしまう。したがって、凹凸のある非金属面に対して取り付けた
カレンダーは、スケジュール記入のための一時的な取外しおよび再度の取付けを繰り返し
行うことが難しかった。
【００１２】
そこで、本考案は、非金属面を含むあらゆる取付け面に言わば装飾性マグネット吸着化
粧壁板に確実に取り付けることができ、しかも、取外しができるハンガー、棚、箱、額縁
、フック類を取り付けることができるマグネット用具の提供を課題とする。
【００１３】
好ましくは前記用具に使用するマグネットシートの厚さが厚く接触面積広いと、それだ
けマグネットシートの吸着力は強くなり、装飾性マグネット吸着化粧壁板につく強力な用
具の選定ができる、逆に薄いと吸着面層が目立たないので、意匠性の良い用具を選定でき
る。
【００１４】
そこで、この考案は、上記の様々な種問題点に鑑み、強い吸着力が得られる、価格を低
く抑えられる、作業を簡単にできる、装飾化粧壁板の定着性が良好である、鮮明な表示が
得られるなどといった、マグネット用具等に用いるのに最適な、用具に使用するマグネッ
ト材料の提供を課題とする。
【課題を解決するための手段】
【００１５】
マグネット吸着化粧板に付着するマグネット体は、磁石としてはフェライト系、アルニコ
系、希土類系の単体、或いは前記磁石の粉末を樹脂、又はゴムとの混合したシート体にし
たものであり、前記化粧板に付着される用具として、ハンガー掛け、物置棚、物置箱、フ
ック類、布類掛けバー、額縁掛け棚、及び白板シート、メモ書きシート、計画書シートの
マグネットシートの裏面に、残留磁束密度（Ｂｒ）＝１〜１３ｋＧ，  保磁力（Ｈｃ）＝
１〜１５ｋＯｅ、最大エネルギ積（ＢＨｍａｘ）＝１〜５０ＭＧＯｅをもっているフェラ
イト系、アルニコ系、希土類系を使用しているマグネット吸着化粧壁板に付着するマグネ
ット用具である。
【００１６】
前記化粧板に付着される家具或いは用具には、鏡、ハンガー掛け、物置棚、本棚、物置箱
、フック類、布類掛けバー、額縁或いは掛け棚、であって、円筒状、角状の厚さ２〜１０
ｍｍの磁石単体を１〜１００個を埋め込んだ磁力層、またはフェライト系、アルニコ系、
希土類系の粉末体の３つの群から選ばれた単独又は混合物が乾燥後の体積で３０〜８０％
含まれる磁性と樹脂とゴムの塗料からなり、厚さ０．０５〜３．０ｍｍの磁性粉との混合
のマグネット層が設けられて構成された磁力層、をもっている。
【００１７】
前記化粧板に付着される用具として、重量物を積載させるハンガー掛け、物置棚、本棚、
物置箱、額縁或いは掛け棚は、Ｌ字板型、又はコ字板型、又は平板型で重量として１〜５
０ｋｇに対応できる磁力層をもっているマグネット吸着化粧板に付着するマグネット用具
である。
【００１８】
前記化粧板に付着される用具の裏面に接着させるマグネットシートは、磁性粉を含有す
る合成樹脂、又は合成ゴムからなる磁石層の片面に、合成樹脂、ゴム製の印刷層が積層さ
れた大型マグネットシートであって、上記磁石層の厚さが０．４〜４．５ｍｍであるとと
もに、上記印刷層の厚さが０．０１〜０．１で、面積として０．０５〜１ｍ２の大きさシ
ート状になっている。
【００１９】
マグネットシートは、合成樹脂製、又は合成ゴム製の単色シート、メモ書きシートのマグ
ネットシートであって、その平面シート形状が、基本的に長方形で、又は略矩形、略三角
形、円形、又は四角形以上の略多角形のうちの少なくとも何れか一つでも可能であってマ
グネットシートに提供できるマグネット吸着化粧板に付着するマグネット用具である。
【考案の効果】
【００２０】
以上のように、この考案によれば、マグネット吸着化粧板に強い吸着力が得られた。し
かも価格を低く抑えられる、薄いスチール箔を使用した壁面に棚、箱、平板が簡単に吸着
できて、しかも長時間維持できること、あるいは重量物を置いた棚においても簡単に取り
外しができて、好みの場所に取り付けることができるようになった。
【００２１】
以上マグネット吸着化粧板の出現により誰にでも安価に人物、風景の写真を壁面に貼っ
て楽しむ事が可能になった。学習や趣味と実益で楽しむ人達にとって絶好の用具提供とな
り店舗、オフイス、或いは家庭では大人の趣味や室内装飾から子供たち向けの器具として
、すぐにスチール製を入れた壁面であって、冷蔵庫の表面や鉄製ドアー、鉄製家具、スチ
ールロッカー面などに吸着させて楽しむ事ができ、即座に周囲の雰囲気を明るく変化させ
るアクセサリー的な使用も可能であった。又、家族や友人、仲間等の誕生日にドアーやロ
ッカー表面に吸着させて、お祝いしたりして応用範囲も広く持てる考案商品であった。
【図面の簡単な説明】
【００２２】
【図１】マグネット吸着化粧板に付着するマグネット用具の斜視図。      Ａ：Ｌ字型      Ｂ：箱型      Ｃ：盤型    Ｄ：シート型
【図２】マグネット吸着化粧板に付着するマグネット用具の断面図。
【図３】マグネット吸着化粧板に付着するマグネット用具の使用時の状態を示した壱の図。      Ａ：部屋の壁面に雑貨類をはった状態  Ｂ：衣服をかけた状態  Ｃ：ＣＤをかけた状態  Ｄ：鏡をはった状態
【図４】マグネット吸着化粧板に付着するマグネット用具の使用時の状態を示した弐の図。            Ａ：額縁及び雑貨類をはった状態  Ｂ：メモ書きシートをはった状態      Ｃ：棚をはった状態      Ｄ：装飾シートをはった状態
【考案を実施するための形態】
【００２３】
この考案を実施するための一形態を、以下図面を用いて説明する。  
図１は、マグネット用具の斜視、断面を示し、この図に示すように用具は、幅広の長尺
状に形成されている。概略構成図に使用可能な適宜の寸法に設定される。
【００２４】
マグネット吸着化粧板に付着するマグネット体は、磁石としてはフェライト系、アルニコ
系、希土類系の単体、或いは前記磁石の粉末を樹脂、又はゴムとの混合したシート体にし
たものであり、前記化粧板に付着される用具として、鏡、ハンガー掛け、物置棚、本棚、
物置箱、フック類、布類掛けバー、額縁或いは掛け棚、及び白板シート、メモ書きシート
、計画書シートのマグネットシートの裏面に、残留磁束密度（Ｂｒ）＝１〜１３ｋＧ，  
保磁力（Ｈｃ）＝１〜１５ｋＯｅ、最大エネルギ積（ＢＨｍａｘ）＝１〜５０ＭＧＯｅを
もっているフェライト系、アルニコ系、希土類系を使用した。
【実施例１】
【００２５】
図１のように前記化粧板に付着される用具は、鏡、ハンガー掛け、物置棚、本棚、物置箱
、フック類、布類掛けバー、額縁或いは掛け棚、であって、円筒状、角状の厚さ２〜１０
ｍｍの磁石単体を１〜１００個を埋め込んだ磁力層、またはフェライト系、アルニコ系、
希土類系の粉末体の３つの群から選ばれた単独又は混合物が乾燥後の体積で３０〜８０％
含まれる磁性と樹脂とゴムの塗料からなり、図２に示すように厚さ０．０５〜３．０ｍｍ
の磁性粉との混合のマグネット層が設けられて構成された磁力層をもった。
【００２６】
前記化粧板に付着される用具として、図３，４に示す事例のように重量物を積載させるハ
ンガー掛け、物置棚、本棚、物置箱、額縁或いは掛け棚は、Ｌ字板型、又はコ字板型、又
は平板型で重量として１〜５０ｋｇに対応できる前記磁力層をもった。
【実施例２】
【００２７】
前記化粧板に付着される用具の裏面に接着させるマグネットシートは、磁性粉を含有す
る合成樹脂、又は合成ゴムからなる磁石層の片面に、合成樹脂、ゴム製のマグネット層を
持つ等方性或いは異方性マグネットラバーであって、上記磁石層の厚さが０．４〜４．５
ｍｍであるとともに、面積として０．０５〜２ｍ２の大きさシート状になった。
【００２８】
マグネットシートは、図３，４に示す事例のように合成樹脂製、又は合成ゴム製の白板シ
ート、メモ書きシート、計画書シートのマグネットシートであって、その平面シート形状
が、基本的に長方形で、又は略矩形、略三角形、円形、又は四角形以上の略多角形のうち
の少なくとも何れか一つでも可能であるマグネットシートが提供できた。
【符号の説明】
【００２９】
１…マグネット体
２…用具基体
３…マグネット吸着化粧板
４…ハンガー掛け
５…物置棚
６…額縁
７…フック類
８…掛け棚  
９…鏡
１０・・メモ書きシート
１１・・柄の入った装飾シート
１２・・写真や単色シート
１３・・物置箱
【図１】
0003207754.tif 000003
【図２】
0003207754.tif 000004
【図３】
0003207754.tif 000005
【図４】
0003207754.tif 000006